(57)【要約】      （修正有）【課題】旅行等に携帯する硬質の合成樹脂製のスーツケースの装飾デザインを、簡便に他のデザインと交換する。【解決手段】スーツケース１に蓋体３と、これの内側全面に嵌合する絵柄表示体４の表面との間に、自分で画用紙に描いた絵の自作の絵柄シート１１を挟装した例である。自作の絵柄シート１１を絵柄表示体の表面と同じ大きさにすると、自作の絵柄シート１１が確り固定されるので移動したり、ズレたりすることがない。これにより、他では販売されていないユニークな自分だけのオリジナルの装飾デザインを施したスーツケース１が得られた。【選択図】図２
0003122447.tif 000002
【実用新案登録請求の範囲】
【請求項１】
硬質の合成樹脂製で成型された本体と蓋体とから成り、本体と蓋体の一端部が蝶番、ヒンジ等で連結され、他端を開閉する方式で、その本体、蓋体の装飾デザインを交換できるスーツケースにおいて、
前記本体及び／又は蓋体を透明又は半透明の合成樹脂製にすると共に、前記透明又は半透明にした本体及び／又は蓋体の内側全面に、密着して嵌合する絵柄を表示した絵柄表示体を、着脱自在に嵌合したことを特徴とする装飾デザインの交換ができるスーツケース。
【請求項２】
硬質の合成樹脂製で成型された本体と蓋体とから成り、本体と蓋体の一端部が蝶番、ヒンジ等で連結され、他端を開閉する方式で、その本体、蓋体の装飾デザインを交換できるスーツケースにおいて、
前記本体及び／又は蓋体を透明又は半透明の合成樹脂製にすると共に、前記透明又は半透明にした本体及び／又は蓋体の内側全面に、密着して嵌合する絵柄を表示した又は表示しない透明又は半透明の絵柄表示体を、着脱自在に嵌合したことを特徴とする装飾デザインの交換ができるスーツケース。
【請求項３】
硬質の合成樹脂製で成型された本体と蓋体とから成り、本体と蓋体の一端部が蝶番、ヒンジ等で連結され、他端を開閉する方式で、その本体、蓋体の装飾デザインを交換できるスーツケースにおいて、
前記本体及び／又は蓋体を透明又は半透明の合成樹脂製にすると共に、前記透明又は半透明にした本体及び／又は蓋体の内側全面に、密着して嵌合する絵柄表示体と、前記本体又は蓋体と前記絵柄表示体との間に、絵柄を表示したシートを挟装し、前記絵柄表示体を、着脱自在に前記本体、蓋体の何れか一方又は両方の内側全面に嵌合したことを特徴とする装飾デザインの交換ができるスーツケース。
【請求項４】
硬質の合成樹脂製で成型された本体と蓋体とから成り、本体と蓋体の一端部が蝶番、ヒンジ等で連結され、他端を開閉する方式で、その本体、蓋体の装飾デザインを交換できるスーツケースにおいて、
前記本体及び／又は蓋体を透明又は半透明の合成樹脂製にすると共に、前記透明又は半透明にした本体及び／又は蓋体の内側全面に、密着して嵌合する絵柄表示体と、前記本体及び／又は蓋体と前記絵柄表示体との間に、クリアーファイルに挟んだ絵柄シートを挟装し、前記絵柄表示体の上面に、前記クリアーファイルを接着固定する両面粘着性シリコン片をクリアーファイルの四隅に配し、前記本体及び／又は蓋体の内側全面に前記絵柄表示体を着脱自在に嵌合したことを特徴とする装飾デザインの交換ができるスーツケース。
【考案の詳細な説明】
【技術分野】
【０００１】  この考案は、硬質の合成樹脂製で成型されたスーツケースを改良したものに関する。
さらに、詳しくは本体と蓋体とから成り、本体と蓋体の一端部が蝶番、ヒンジ等で連結され、他端を開閉できる方式で、旅行等に携帯するスーツケースで蓋体等に顕出させた装飾デザインを、他の装飾デザインと自在に交換できるスーツケースに関する。
【背景技術】
【０００２】  従来、旅行等に携帯するスーツケースは、軽くて強靭な点が評価され、その素材の大半は硬質の合成樹脂で成型されたものであり、このタイプのものが広く普及しており、また、これに関して、種々の改良を施したものが提案されている。【０００３】  例えば、旅行用かばんに於いて、本体又は蓋体の一方又は両方を透明又は半透明に形成し、該本体又は蓋体の一方又は両方の内底面ほぼ全体に、絵画、写真又は宣伝広告などを表面に設けたデザイン部を有した化粧板を位置させ、該化粧板の裏面を圧着板で前記本体又は蓋体の内底面に着脱可能に圧着固定させたものが提案されている（特許文献１参照）。【０００４】  また、替え絵柄シート付カバンに於いて、箱型カバン本体の少なくとも片側面の周囲に断面鈎折形を呈する額縁状コーナー枠体を開放自在に囲繞するとともに、該額縁状コーナー枠体の額縁辺の内側と箱型カバン本体面間に透明板及び写真、広告等の替え絵柄シートを挟持する如くした替え絵柄シート付カバンが知られている（特許文献２参照）。
【特許文献１】  実用新案登録第３１０６７８５号公報（第１頁）
【特許文献２】  実公昭５４−２８１６５号公報（第１頁）
【考案の開示】
【考案が解決しようとする課題】
【０００５】  然し乍ら、前記のスーツケースは、これを堅牢な作りにして、その実用性を追求したものが主流をなし、表面にできる傷や汚れを目立たなくする目的であるかは不明であるが、殆どが明るい色彩感覚に乏しく、且つ遊び心や、楽しさの感じられない、機能性のみを追及ものが殆どであると思われる。
また、色彩を施したものは、スーツケース全体が単一色で赤、ピンク、黄色、ブルー等にしたものがみられ、カラフルで複雑な模様や洒落たデザインを施したものは、見当たらなかった。【０００６】  さらに、これに装飾を施す目的で、色彩豊かなシール等をスーツケースの表面に貼ったものも見受けられるが、シール等が表面に剥き出しの為、このシール等が汚れやすく、この汚れたシール等を剥がした場合、シール等の糊が残り、汚らしくなって仕舞うことが多く見られる。【０００７】  また、これ等のスーツケースは、その使用目的から極めて堅牢に作られていて、破損することが少ない結果、一旦購入したら同じものを長期間に亘って使用し続けることになる場合が多い。【０００８】  そこで、いつも同じ装飾デザイン又は色彩のスーツケースでは、飽きてしまい異なる装飾デザイン又は印象を与えるものが欲しくなる。
然し乍ら、現時点では、異なる装飾デザイン又は印象を与えるためには、スーツケースにシールを貼る等しか手段が見当たらず、これを抜本的に、印象の異なる装飾デザインにする変化を付与することは困難であった。【０００９】  そこで、スーツケースの強度等の基本的な機能を損なうことなく、装飾デザインを自己の好みのものに簡便な手段で楽しく、且つカラフルな装飾デザインに変化させることが出来れば、便利であり旅行等も楽しく、且つ快適となるから、自在に交換出来るようにするのが、解決すべき課題である。
【課題を解決するための手段】
【００１０】  即ち、前記課題の解決の為、この考案は、硬質の合成樹脂製で成型された本体と蓋体とから成り、本体と蓋体の一端部が蝶番、ヒンジ等で連結され、他端を開閉する方式で、その本体、蓋体の装飾デザインを交換できるスーツケースにおいて、前記本体及び／又は蓋体を透明又は半透明の合成樹脂製にすると共に、前記透明又は半透明にした本体及び／又は蓋体の内側全面に、密着して嵌合する絵柄を表示した絵柄表示体を、着脱自在に嵌合したことを特徴とする装飾デザインの交換ができるスーツケースであり、硬質の合成樹脂製で成型された本体と蓋体とから成り、本体と蓋体の一端部が蝶番、ヒンジ等で連結され、他端を開閉する方式で、その本体、蓋体の装飾デザインを交換できるスーツケースにおいて、前記本体及び／又は蓋体を透明又は半透明の合成樹脂製にすると共に、前記透明又は半透明にした本体及び／又は蓋体の内側全面に、密着して嵌合する絵柄を表示した又は表示しない透明又は半透明の絵柄表示体を、着脱自在に嵌合したことを特徴とする装飾デザインの交換ができるスーツケースである。【００１１】また、硬質の合成樹脂製で成型された本体と蓋体とから成り、本体と蓋体の一端部が蝶番、ヒンジ等で連結され、他端を開閉する方式で、その本体、蓋体の装飾デザインを交換できるスーツケースにおいて、前記本体及び／又は蓋体を透明又は半透明の合成樹脂製にすると共に、前記透明又は半透明にした本体及び／又は蓋体の内側全面に、密着して嵌合する絵柄表示体と、前記本体又は蓋体と前記絵柄表示体との間に、絵柄を表示したシートを挟装し、前記絵柄表示体を、着脱自在に前記本体及び／又は蓋体の内側全面に嵌合したことを特徴とする装飾デザインの交換ができるスーツケースでもあり、硬質の合成樹脂製で成型された本体と蓋体とから成り、本体と蓋体の一端部が蝶番、ヒンジ等で連結され、他端を開閉する方式で、その本体、蓋体の装飾デザインを交換できるスーツケースにおいて、前記本体及び／又は蓋体を透明又は半透明の合成樹脂製にすると共に、前記透明又は半透明にした本体及び／又は蓋体の内側全面に、密着して嵌合する絵柄表示体と、前記本体又は蓋体と前記絵柄表示体との間に、クリアーファイルに挟んだ絵柄シートを挟装し、前記絵柄表示体の上面に、前記クリアーファイルを接着固定する両面粘着性シリコン片をクリアーファイルの四隅に配し、前記本体及び／又は蓋体の裏側全面に前記絵柄表示体を着脱自在に嵌合したことを特徴とする装飾デザインの交換ができるスーツケースである。
【考案の効果】
【００１２】  この考案によれば、絵柄表示体が絵柄の異なる他の絵柄表示体と交換可能であるから（他の絵柄と交換できる）、気分や嗜好に応じて、好みの絵柄又は写真等を選択して、元のスーツケースとは、全く異なる印象及び雰囲気を与える装飾デザインに簡単に変化させることができて、多様なバリエーションを楽むことができ、且つ便利である。【００１３】  即ち、季節、旅行先、旅行目的、持つ人の服装等にマッチした装飾デザインのスーツケースが得られ、お洒落心を満足させ、旅の楽しみを一層盛り上げる演出ができる。【００１４】  また、透明にした本体、蓋体の場合、透明度が高く、且つ硬度の高い素材を選択した場合には、絵柄が表側に露出していないから、絵柄が良く引き立ち、且つ傷つき難いので、長期の使用に耐え、絵柄も汚損されにくい構造であるから、長期に亘り見栄えの良さを維持することができる。【００１５】また、万一、透明又は半透明にした本体、蓋体が破損した場合であっても、その内側全面に絵柄表示体が密着嵌合した二重構造であるから、搬送中に収納物がスーツケースの外に脱落するおそれがない。また、薄手の絵柄表示体を嵌合する構成にしたから、スーツケースの収容容量を低下させることがない。【００１６】  とりわけ、絵柄表示体にプラスチック段ボールを使用したものは、軽い上に耐衝撃性に優れ、容易に破損しないので、収納物の保護に万全を期することができる。
また、プラスチック段ボールは、コストが安く、印刷適正にも優れ、且つ成型加工し易いからカラフルな美しい絵柄を描ける利点がある。【００１７】  さらに、絵柄表示体の箱状の４側面にも絵柄を描出すれば、スーツケースの表面全面に、殆ど隙間なく装飾デザインを顕出させることができ、スーツケースの表面全面を使用した大きな絵柄、スーツケースの表面全面を使用した立体的な絵柄又はスーツケースの表面全面を使用した従来にない、華やかな絵柄、複雑な絵柄の表現が可能である。【００１８】  透明な絵柄表示体を選択すれば、スーツケースの一番上に詰めた収納物が見えるようにスケルトンタイプにする事もできるから、カラフルな衣装等を詰めれば、見た目が綺麗であり、且つ楽しい装飾デザインとなる。【００１９】  持ち主の同意を得れば、団体ツアーのグループ構成全員を対象として、新たな広告媒体として活用することも可能である。団体旅行をする場合等、団体名、団体のシンボルマーク、統一した絵柄、文字、スローガン等を統一したものを旅行メンバー全員で使用すれば、メンバーの目印が出来て紛れがなく、楽しく、且つ便利で有用である。【００２０】  また、本体又は蓋体と絵柄表示体との間に、自分で選択した絵柄、自分で描いた絵又は自分で撮影した写真、雑誌の切り抜き等の絵柄シートを自由に挟装して、自分流の装飾を施すこともでき、マイデザインで変化を楽しむことができる。【００２１】絵柄表示体と本体又は蓋体との間に、クリアーファイルに挟んだ絵柄シートを、絵柄表示体の上面に配置した両面粘着性シリコン片に固定したものは、絵柄のズレ又は移動が生ぜず、絵柄の損傷、汚損がなく、絵柄シートを綺麗に保つことができる。また、絵柄の交換が簡単にできる効果がある。【００２２】  さらに、本体、蓋体に前記の透明又は半透明な材質に替えて、好みによりカラーコーティングを施した透明又は半透明の素材を選択することもできる。これにより、表出されたデザインの看者に、従来のものとは異なる新鮮なイメージを与えることもできる。【００２３】  また、独自なカラフルな装飾を施したスーツケースは、混み合うホテルのロビーや、大量の荷物で混雑する空港の回転する荷物受け取りデッキにおいても、多数のスーツケースの中から、素早く自己のものを見分けて、取り出すことができ、また、他人に間違えられて持ち去られて、スーツケースの取り違え又は紛失のトラブルの防止ができる。【００２４】  また、スーツケースには、度重なる車両又は航空機への積み降ろしの際、乱暴な取扱に対しても壊れないという可成りの強度が求められるが、この考案では絵柄表示体を固定するために、本体又は蓋体に絵柄を描いた板等を固定するための固定螺子の螺子孔、鋲孔等を全く設けない構成であるから、スーツケースが本来備えている強度を全く損なうことがない。【００２５】  また、スーツケースの表面にボルト・ナットの頭、鋲頭等の突起物がないがら、突起物による引っ掛かり事故もなく、また、他人のスーツケースを傷つけることも無く、且つスーツケースの外観の美観を損なわない。
【考案を実施するための最良の形態】
【００２６】  この考案の対象とするスーツケースは、硬質の合成樹脂製の成型したタイプのスーツケースで、本体と蓋体とから成り、本体と蓋体の一端部が蝶番、ヒンジ等で連結され、他端を開閉できる方式で、旅行等に携帯するものである。
また、これを縦置きにした場合、その下部に運搬に便利なキャスター（車輪）を備え、運搬を容易にした旅行等に携帯する大型のスーツケースであっても良い。【００２７】  前記の構造のものであれば、旅行等に携帯するいわゆるスーツケースに限らず、硬質の合成樹脂で成型されたタイプのトランク、手提げカバン、アタッシュケース、書類ケース等をも含むものである。
また、その形状も、全体が直線で形成された印象を与える角張ったものや、全体が曲線で表され、その形状が丸みを帯びた印象を与えるものの何れの形状であっても良い。
この考案では、以下にこれらを含めたものをスーツケースと言う。【００２８】  このスーツケースは、衣服等の荷物の収納機能、把手、施錠する鍵部、搬送用のキャスター、キャリー用ハンドル等を適宜選択してこれ等を備えたものでも良く、スーツケースの基本的な機能を損なうことなく、これを維持したまま、スーツケースに施す絵柄等のデザイン装飾部分を交換することに関する考案である。【００２９】  この考案では、この本体及び／又は蓋体に透明又は半透明な硬質の合成樹脂の素材を使用して成型したものにし、その透明又は半透明にした本体及び／又は蓋体の内側全面に、絵柄を表示した絵柄表示体を密着して嵌合でき、且つ絵柄表示体を自在に着脱でき、これをあらかじめ用意した他の絵柄のものと簡便に交換できる構成にした。【００３０】  このため、ユーザーは、この考案のスーツケースを購入する際、絵柄表示体の表面に種々の絵柄を描いたものを、好みに応じあらかじめ複数種類用意してある内から選択購入して置く。
絵柄表示体を交換すると、透明又は半透明にした本体及び／又は蓋体を透過して、絵柄がそのまま本体、蓋体の装飾デザインとしてスーツケースの表側に透視して顕出されるから、従前のものと異なる絵柄の絵柄表示体に交換すると、装飾デザインの変更ができる。【００３１】  この考案で使用する透明な合成樹脂の本体、蓋対の厚さは３〜２０ｍｍ程度とし、成型加工に適し、且つ透明度が高く、耐衝撃性が高く、耐候性及び耐熱性の高い性質を有するものであれば、何れの種類のものでも使用できる。とりわけ、透明度が高く、且つ硬度が高く傷がつき難いものが、美観上及び実用の見地（堅牢性）から望ましい。【００３２】  例えば、ポリカーボネート（透過度７５％以上）、アクリル樹脂の硬質のもの（ＴＭＭＡ）、ポリスチレン（ＰＳ）、ＡＳ樹脂、ポリサルフォン、ポリエーテルサルフォン、ポリエチレンテレフタレート（ＰＥＴ）等が好ましい。【００３３】  この考案の他の応用例として、透明又は半透明にした本体、蓋体の一部を加工して、その一部を不透明にする加工処理を行えば、透明な個所と不透明な個所を持った本体、蓋体にすることもできる。
例えば、１つの本体、蓋体に、透明な個所と不透明な個所とを区分して設けて、その境界をぼかした状態に加工することもできる。さらに、透明な個所と不透明な個所とを区分して設けて、その境界を截然と区分した形態とすることも可能である。【００３４】  また、透明又は半透明にした本体及び／又は蓋体に、絵柄表示体に透明な個所と不透明な個所とを区分して設けて、その境界をぼかした状態の絵柄を描出し、又は透明な個所と不透明な個所とを区分して設けて、その境界を截然と区分した絵柄を描出して、前記と同じ効果を得ることも出来るのは、言うまでもない。【００３５】  この考案によれば、絵柄表示体（箱を伏せた状態の形状）の四つの側面にも絵柄を描出したものを使用すると、透明又は半透明にした本体、蓋体の両方のそれぞれの４側面にも絵柄を顕出させることができるから、スーツケースの表側全面に殆ど隙間なく装飾デザインを顕出させることができる。【００３６】  さらに、前記の透明な材質に替えて、透明なカラーの素材、好みにより半透明なもの、カラーコーティングを施した透明又は半透明の素材を選択することもできる。
これにより、表出されたデザインを、従来のものとは異なる変化を与え、多彩で華やかな装飾デザインを施すことが可能となり、看者に強い印象・変化を与えることもできる。
要は、絵柄表示体に描出された絵柄が、透明又は半透明にした本体、蓋体を透過して本体及び／又は蓋体に絵柄として、透視して表出されるものであればよい。【００３７】  次に、絵柄表示体は、本体、蓋体の形状に合わせて、本体及び／又は蓋体の内側全面にすっぽりと密着して嵌合する形状及び寸法に成型加工したものである。
全体として弾力性を持った成型品で、これを押し込めば本体、蓋体の内側に嵌合し、容易に脱落しない程度の厚みと柔軟性を持った素材で、且つ印刷適正があるものが好ましい。
スーツケースの開閉の際、これが脱落せず、且つ大きな力を加えなくとも、容易に嵌合でき又は取外しができるように寸法に調製する必要がある。【００３８】  絵柄表示体は厚さ３〜１５ｍｍ程度とし、これを厚くすると、スーツケースの収容能力を減じ、スーツケース全体の重量を増加するから好ましくない。【００３９】  この絵柄表示体の素材は、合成樹脂製、プラスチック段ボール、紙の成型品、木材繊維の成型品であるから、弾力性に富み、本体又は蓋体の内側全面に密着して嵌合する寸法に設計するので、これの脱落防止のための格別の固定手段を設けなくとも良い。【００４０】  絵柄表示体の材質は、本体又は蓋体の裏側に密着する面側に、適宜な印刷、シール、ステッカーの貼付等を施すことができ、且つ印刷適正を備えたものであれば良く、紙の成型品、木材繊維、その他の繊維の成型品又は合成樹脂の成型品の何れであっても良い。
更に、これらの材質のシート等を、積層にしたものでも良い。例えば、合成樹脂シートと紙とを複数層に交互に積層したもの所謂複合材が利用でき、紙に美麗な印刷を施し、これを合成樹脂のシートでラミネートすれば、耐汚損性、耐水性があり絵柄を長持ちさせることができる。【００４１】  また、絵柄表示体に厚さ３〜１５ｍｍ程度のプラスチック段ボールを使用してもよい。因みに、プラスチック段ボールは、紙製の段ボール構造のものを、プラスチックを使用して同じ構造にしたものである。【００４２】  プラスチック段ボールは、軽い上に、耐衝撃力が大きく、印刷適性も良好であり、且つ本体、蓋体が破損した場合であっても、収納物の保護力に優れている。【００４３】  この考案では、本体及び／又は蓋体を透明又は半透明にすると共に、絵柄表示体を透明又半透明、不透明のものにする場合を含めて、以下の多種の組み合わせのものが可能であり、その組合わせを楽しむことができる。【００４４】  また、絵柄表示体は、透明、半透明、不透明のものとし、いわゆるスケルトンタイプにしてても良く、表示する絵柄に合わせて選択できるものとしても良い。【００４５】  以下にその組み合わせの代表的な例を示す。
（１）蓋体（透明）、絵柄表示体（透明）
（２）蓋体（透明）、絵柄表示体（不透明）
（３）蓋体（透明）、絵柄表示体（透明）、本体（透明）、絵柄表示体（透明）
（４）蓋体（透明）、絵柄表示体（不透明）、本体（透明）、絵柄表示体（不透明）【００４６】  例えば上記の如く、種々のバリエーションがあり、これ以外にその他の組み合わせも好みに応じて選択できる。【００４７】  この考案のスーツケースの絵柄を交換する方法を説明する。【００４８】  床にスーツケースを置き、その蓋体を開き、透明又は半透明にした本体及び／又は蓋体の内側全面に、あらかじめ選択しておいた、絵柄を表示した絵柄表示体を、透明又は半透明にした本体及び／又は蓋体の内側全面に押し込んで嵌合すればよい。そのままスーツケースとして使用できる。【００４９】  また、この絵柄を交換する場合は、嵌合してある絵柄表示体を手前に引いて、これを引剥がして取り外し、次いで、これに代えて別途用意した他の絵柄表示体を、前記の例に倣い、透明又は不透明の本体及び／又は蓋体の内側全面に密着するように絵柄表示体を押し込んで単に嵌合すればよい。これで、装飾デザインの交換ができた。
本体、蓋体の両方を透明又は半透明にした場合は、別途、絵柄表示体を２枚用意して置き、前記の操作を繰り返せばよい。【００５０】  この考案の絵柄の交換方法は、前記に記載のものを含めて下記のものがある。
（１）前記の通り、透明にした本体及び／又は蓋体に嵌合してある表面に絵柄を表示した絵柄表示体を交換する方法。
（２）透明にした本体及び／又は蓋体に嵌合してある絵柄を表示した又はしていない絵柄表示体の表側にシール、ステッカー等を貼付する方法。
（３）透明にした本体及び／又は蓋体と、絵柄表示体との間に絵柄シートを挟装する方法。
（４）透明にした本体及び／又は蓋体と、絵柄表示体との間にクリアーファイルに挟んだ絵柄シートを挟装する方法。
（５）透明にした本体及び／又は蓋体と、絵柄表示体との間にクリアーファイルの挟んだ絵柄シートを、クリアーファイルの裏面四隅の固定手段である両面粘着性シリコン片を、絵柄表示体の上面にそれぞれ配置した方法。
以下に上記の種々の絵柄の交換方法につき、順次説明する。【００５１】  前記（１）記載のものは、絵柄表示体の表面側に、あらかじめ絵、写真、メッセージ、キャッチフレーズ、スローガン等任意の絵柄を印刷等をして置く方法である。【００５２】    前記（２）に記載のものは、透明にした本体及び／又は蓋体に嵌合してある絵柄を表示した又はしていない絵柄表示体の表側にシール、ステッカー等を貼付する方法である。【００５３】  前記（３）に記載のものは、購入した又は自分でデザインしたシート状のもの例えば、紙又は合成樹脂シート等の絵柄シートを、本体及び／又は蓋体の裏面と、絵柄表示体との間に、挟装する方法である。
絵柄シートの大きさが、極端に小さな寸法のものでなければ、挟装してあるから、簡単にずれたり、移動したりすることがない。
さらに、これを剥がす時、落ちやすい糊を使用して、この糊で軽く四隅を貼り付けて固定してもよい。【００５４】  前記（４）に記載のものは、透明にした本体及び／又は蓋体と、絵柄表示体との間に、いわゆるクリアーファイルに挟んだ絵柄シートを挟装する方法である。
この場合、絵柄表示体は別途用意した絵柄を表示していないものを使用しても良い。
この適宜な厚さのクリアファイルを使用すれば、絵柄の折れ、皺、汚れ等絵柄シートの傷みが発生せず、絵柄シートの長期に亘っての使用が可能となる。
クリアファイルは、透明度の高いものであれば、ビニール製、アクリルシート等合成樹脂の素材のものが使用できる。
（注）所謂クリアーファイルとは、透明な合成樹脂製のシート２枚で構成され、この２枚シートの間に書類等を挟む簡便な書類等の整理・収納具である。【００５５】  このクリアファイルを使用すると、絵柄の交換作業が極めて簡便に行うことができ、且つ絵柄表示体の表示されている絵柄を損傷することがない。
前記のクリアーファイルに替えて、透明な合成樹脂製の袋状にしたものに絵柄シートを収納したものであって良い。【００５６】  前記（５）は、透明にした本体及び／又は蓋体と、絵柄表示体との間にクリアーファイルに挟んだ絵柄シートを、これの固定手段として絵柄表示体の上面に配置した両面粘着性シリコン片に固定する方法である。
この場合、絵柄表示体は別途用意した絵柄を表示していないものを使用しても良い。
本体及び／又は蓋体と、絵柄表示体との間に、絵柄シート等を挟装する場合に、絵柄表示シートの移動又はズレを防止する防止手段として、絵柄表示体の上面の四隅に、厚さ０．１ｍｍ〜３．０ｍｍの薄い両面粘着性シリコン片を、４個絵柄シートの四隅に対応する位置に夫々配置したものとしても良い。【００５７】  両面粘着性シリコン片は、繰り返し使用しても、その接着力が劣化しにくい特性を持っている。従って、繰り返し絵柄シートの交換及び絵柄シートの大きさに合わせて、その都度、絵柄表示体上の両面粘着性シリコン片の固定場所を移動させても良い。
繰り返し絵柄シートの交換及び両面粘着性シリコン片の固定場所の移動を繰り返しても、接着力の低下は少ないから、継続して長期間に亘り有効に機能させることが可能である。【００５８】  絵柄シートの固定手段として、厚さ０．１〜３．０ｍｍの薄い両面粘着性シリコン片を使用しているので、本体、蓋体と、絵柄表示体との密着嵌合を損なうことがない。【００５９】  以上により、自分の好みに適合した装飾デザインのスーツケースを創出することが出来る。
【実施例１】
【００６０】  図１、図２及び図３に基づき説明する。
硬質の合成樹脂製で成型されたスーツケース１で、本体２、蓋体３とから成り、本体２と蓋体３の一端部が、蝶番８等で連結され、他端を開閉できる方式のものである。
また、これを縦置きにした場合、その底部に持ち運びに便利なキャスター９、１０（車輪）を備え、移動を容易した旅行等に携帯する大型のスーツケース１を例に説明する。
この実施例１は、蓋体３のみを透明な合成樹脂製にした例である。なお、本体２は、常用の硬質の不透明な早世樹脂を使用してある。【００６１】縦１０００ｍｍ、横８００ｍｍ、深さ２００ｍｍの本体２と、縦１０００ｍｍ、横８００ｍｍ、深さ２００ｍｍの蓋体３からなるスーツケース１である。【００６２】  この蓋体３を、厚さ２０ｍｍの硬質透明なポリカーボネートで成型したものとした。
これに、厚さ１５ｍｍのプラスチック段ボールで成型加工して、蓋体３の内側全面に密着して嵌合する絵柄表示体４を成型して作成した。
この絵柄表示体４を数個作成して置き、これに夫々異なる絵柄を表示したものとして置く。【００６３】  絵柄表示体４の蓋体３の内側全面に密着する側に、適宜な絵柄５を印刷等により、設けてある。（図３（ａ）参照）絵柄表示体４は、これを自在に着脱できる構造にしてある。
交換用の絵柄表示体４として、適宜な絵柄のものをあらかじめ数種類作成し用意して置き、交換用の絵柄表示体４とする。【００６４】  絵柄表示体４の取付け又は交換は、蓋体３を開いて、その内側全面に選択した絵柄表示体４を、矢示７、７の方向へ手で押し込んで嵌合する。又は矢示６、６の方向へ引張っればこれを取外すことができ、他の絵柄表示体４と容易に交換することができる。
【実施例２】
【００６５】本体２を透明な合成樹脂製にした例である。
実施例１記載のスーツケースの本体２のみを、実施例１記載の材質及び寸法で、透明な合成樹脂製にしたものである。【００６６】  蓋体３は、常用の不透明な硬質の合成樹脂を使用してある。その本体２の内側全面に密着して嵌合する、実施例１記載の複数の絵柄表示体の中から選んだ絵柄表示体４を、これを嵌合した。
【実施例３】
【００６７】本体２及び蓋体３の両方を実施例１記載の材質及び寸法で、透明な合成樹脂製にした例である。【００６８】  実施例１記載のスーツケース１の本体２又は蓋体３の両方を実施例１記載の材質及び寸法で、透明な合成樹脂製にし、それぞれの内側全面に、実施例１記載の絵柄表示体４から選んで、絵柄表示体４をそれぞれに嵌合した（［図３］（ｂ）参照）。【００６９】  本体２及び蓋体３の両方を透明にしたものは、スーツケース１の本体２及び蓋体３の両面全面を使用した統一あるデザインや、立体的に表した絵柄を描出することができ、看者にダイナミックな絵柄で、強い印象又は感動を伝えることが可能であり、強いインパクトを与えることができる。また、絵柄表示体４を自由に交換することができるから、これを適宜交換することにより、装飾デザインについて、様々な変化を楽しむことができる。
【実施例４】
【００７０】  図４（ａ）に基づき、説明する。
実施例１記載のスーツケース１に、蓋体３と、これの内側全面に嵌合する絵柄表示体４の表面との間に、自分で画用紙に描いた絵の自作の絵柄シート１１を挟装した例である。
自作の絵柄シート１１を絵柄表示体の表面と同じ大きさにすると、自作の絵柄シート１１が確り固定されるので移動したり、ズレたりすることがない。
これにより、他では販売されていないユニークな自分だけのオジナルの装飾デザインを施したスーツケース１が得られた。
また、自作の絵柄シート１１を透明にした本体２、蓋体３のいずれか一方又は両方に挟装した構成にしても良い。
【実施例５】
【００７１】  図４（ｂ）に基づき、説明する。
実施例１記載のスーツケース１の、透明にした上蓋３と、絵柄表示体４との間に、絵柄シート１１等挟んだいわゆるクリアーファイル１３を挟装し、このクリアーファイル１３の裏面の四隅を固定する固定手段として、両面粘着性シリコン片１２を、絵柄表示体４の上面に、クリアーファイル１３の四隅に対応する位置に夫々配置した。
これにより、クリアーファイル１３の移動又はズレを防止することができる例である。
絵柄表示シート１１を挟んだクリアーファイル１３の移動又はズレを防止する防止手段として、絵柄表示体４の上面４箇所に、厚さ３．０ｍｍの薄い両面粘着性シリコン片１２を４個、絵柄シート１１の四隅に対応する位置に夫々配置した。【００７２】  両面粘着性シリコン片１２は、これの裏面が絵柄表示体４の上面に接着固定されていて、表面の接着部は、この上に配置されるにクリアーファイル１３の裏側の四隅に接着して、クリアーファイル１３を固定して、これの移動又はズレを防止する。【００７３】  両面接着性のシリコン樹脂片１２は、繰り返し使用しても接着力が劣化しにくいので、繰り返し絵柄シート１１の交換をしても、有効に機能する。
また、絵柄シート１１は、前記クリアーファイルに替えて、これを合成樹脂製の透明な袋状にした保護袋の中に収納して使用しても良く、更に１回限り使用するものであれば、絵柄シート１１を、そのまま剥き出しのまま使用する何れの方法でも良い。
両面粘着性シリコン片１２は、絵柄を交換する都度、その挟装固定するクリアーファイル１３の大きさに合わせて、その配置・固定する場所を移動させることが可能である。
また、この実施例では、厚さ３．０ｍｍの薄い両面粘着性シリコン片１２を使用しているので、本体２、蓋体３と、絵柄表示体４との密着嵌合を損なうことがない。
【図面の簡単な説明】
【００７４】
【図１】この考案のスーツケースの斜視図
【図２】同じく、蓋体の一部を分解した斜視図
【図３】（ａ）同じく、蓋体を透明にした場合の図１、Ａ−Ａの断面図  （ｂ）同じく、本体及び蓋体の両方を透明にした場合の図１、Ａ−Ａの断面図
【図４】（ａ）同じく、蓋体と絵柄表示体との間に絵柄シートを配した状態を示す断面図  （ｂ）同じく、絵柄表示体の上面に絵柄シートの固定手段を設けたものに、蓋体と絵柄表示体との間に絵柄シートを配した状態を示す断面図
【符号の説明】
【００７５】１  スーツケース
２  本体
３  蓋体
４  絵柄表示体
５  絵柄
８  蝶番
９、１０  キャスター（車輪）
１１  絵柄シート
１２  両面接着性のシリコン樹脂片
１３  クリアーファイル
【図１】
0003122447.tif 000003
【図２】
0003122447.tif 000004
【図３】
0003122447.tif 000005
【図４】
0003122447.tif 000006